(57)【特許請求の範囲】
【請求項１】
複数の吐出孔、該複数の吐出孔とそれぞれ繋がっている複数の加圧室、および複数の共通流路を有する流路部材と、前記複数の加圧室をそれぞれ加圧する複数の加圧部とを含んでいる液体吐出ヘッドであって、
平面視したときに、
前記複数の共通流路は、第１方向に伸びており、かつ該第１方向と交差する方向である第２方向に並んで配置されており、
２つの共通流路に挟まれていない部分において１つの共通流路に繋がる複数の桁外吐出孔を有し、前記第１方向に沿った前記複数の桁外吐出孔が桁外吐出孔行であり、
前記２つの共通流路に挟まれている部分において、前記第１方向に沿い、前記２つの共通流路に繋がる前記複数の吐出孔が複数の吐出孔行であり、
前記複数の吐出孔行は、隣り合う吐出孔行において吐出孔が前記第１方向に互いにずれて配置されており、
前記２つの共通流路に挟まれている部分に、前記複数の吐出孔行により構成された吐出孔組を有し、
前記吐出孔組は、前記第２方向に並んで配置されており、
隣り合う前記吐出孔組は、１つの前記吐出孔組におけるｎ列に吐出孔Ａが位置するとき、前記共通流路を挟んで位置する隣の吐出孔組の吐出孔Ｂがｎ±１列に位置する部分を有し、
前記第２方向の中央部に位置する前記吐出孔組における吐出孔Ｃがｎ列に位置しているのに対し、前記桁外吐出孔がｎ±１列に位置する液体吐出ヘッド。
【請求項２】
平面視したときに、
前記複数の共通流路は、ｎ本（nは４以上の偶数のいずれか１つ）存在し、
前記複数の共通流路を、前記第２方向に並んでいる順に、１行目共通流路、２行目共通流路、・・・ｎ行目共通流路とし、
前記複数の吐出孔は、前記吐出孔が前記第１方向に所定間隔で並んで構成されている複数の吐出孔行を構成しており、
該複数の吐出孔行は、４×ｎ本存在し、かつ前記第２方向に並んで配置されており、
１つの前記共通流路は、当該共通流路に沿って配置されている片側２行ずつ、両側を合わせて合計４行の前記吐出孔行に属する前記吐出孔と、前記加圧室を介して繋がっており、
前記ｆ行目共通流路（ｆは１、２、・・・ｎのすべて）と繋がっている前記吐出孔行を
、前記第２方向に並んでいる順に、４×ｆ−３行目吐出孔行、４×ｆ−２行目吐出孔行、４×ｆ−１行目吐出孔行、４×ｆ行目吐出孔行とし、また、それらの前記吐出孔行に属する前記吐出孔を、それぞれ４×ｆ−３行目吐出孔、４×ｆ−２行目吐出孔、４×ｆ−１行目吐出孔、４×ｆ行目吐出孔とし、
前記ｇ行目共通流路（ｇは１、２、・・・ｎ−１のすべて）と、前記ｇ＋１行目共通流路との間に配置されている４行の前記吐出孔行を合わせて、ｇ組目吐出孔組とし、該ｇ組目吐出孔組に属する前記吐出孔をｇ組目吐出孔とし、
前記ｈ行目吐出孔（ｈは３、５、７、・・・４×ｎ−３のすべて）と、当該ｈ行目吐出孔の最も近くに配置されている前記ｈ＋１行目吐出孔とは、前記第１方向に関して、間に２×ｎ−１個の前記吐出孔を挟んで配置されており、
前記ｉ行目吐出孔（ｉは４、８、１２、・・・４×（ｎ−１）のすべて）と、当該ｉ行目吐出孔の最も近くに配置されている前記ｉ＋１行目吐出孔とは、前記第１方向に関して、間にｎ−１個の前記吐出孔を挟んで配置されており、
前記１行目吐出孔、前記２行目吐出孔、前記４×ｎ−１行目吐出孔および前記４×ｎ行目吐出孔は、前記第１方向に関して、前記ｎ／２組目吐出孔と、前記ｎ／２−１組目吐出孔か前記ｎ／２＋１組目吐出孔かのいずれかの前記吐出孔との間に隣り合って配置されている請求項１に記載の液体吐出ヘッド。
【請求項３】
平面視したときに、
前記複数の共通流路は、ｎ本（nは５以上の奇数のいずれか１つ）存在し、
前記複数の共通流路を、前記第２方向に並んでいる順に、１行目共通流路、２行目共通流路、・・・ｎ行目共通流路とし、
前記複数の吐出孔は、前記吐出孔が前記第１方向に所定間隔で並んで構成されている複数の吐出孔行を構成しており、
該複数の吐出孔行は、４×ｎ本存在し、かつ前記第２方向に並んで配置されており、
１つの前記共通流路は、当該共通流路に沿って配置されている片側２行ずつ、両側を合わせて合計４行の前記吐出孔行に属する前記吐出孔と、前記加圧室を介して繋がっており、
前記ｆ行目共通流路（ｆは１、２、・・・ｎのすべて）と繋がっている前記吐出孔行を、前記第２方向に並んでいる順に、４×ｆ−３行目吐出孔行、４×ｆ−２行目吐出孔行、４×ｆ−１行目吐出孔行、４×ｆ行目吐出孔行とし、また、それらの前記吐出孔行に属する前記吐出孔を、それぞれ４×ｆ−３行目吐出孔、４×ｆ−２行目吐出孔、４×ｆ−１行目吐出孔、４×ｆ行目吐出孔とし、
前記ｇ行目共通流路（ｇは１、２、・・・ｎ−１のすべて）と、前記ｇ＋１行目共通流路との間に配置されている４行の前記吐出孔行を合わせて、ｇ組目吐出孔組とし、該ｇ組目吐出孔組に属する前記吐出孔をｇ組目吐出孔とし、
前記ｈ行目吐出孔（ｈは３、５、７、・・・４×ｎ−３のすべて）と、当該ｈ行目吐出孔の最も近くに配置されている前記ｈ＋１行目吐出孔とは、前記第１方向に関して、間に２×ｎ−１個の前記吐出孔を挟んで配置されており、
前記ｉ行目吐出孔（ｉは４、８、１２、・・・４×（ｎ−１）のすべて）と、当該ｉ行目吐出孔の最も近くに配置されている前記ｉ＋１行目吐出孔とは、前記第１方向に関して、間にｎ−１個の前記吐出孔を挟んで配置されており、
前記１行目吐出孔、前記２行目吐出孔、前記４×ｎ−１行目吐出孔および前記４×ｎ行目吐出孔は、前記（ｎ−１）／２組目吐出孔と、前記（ｎ＋１）／２組目吐出孔との間に隣り合って配置されている請求項１に記載の液体吐出ヘッド。
【請求項４】
平面視したときに、
前記複数の共通流路は、ｎ本（nは４以上の偶数のいずれか１つ）存在し、
前記複数の共通流路を、前記第２方向に並んでいる順に、１行目共通流路、２行目共通流路、・・・ｎ行目共通流路とし、
前記複数の吐出孔は、前記吐出孔が前記第１方向に所定間隔で並んで構成されている複数の吐出孔行を構成しており、
該複数の吐出孔行は、４×ｎ本存在し、かつ前記第２方向に並んで配置されており、
１つの前記共通流路は、当該共通流路に沿って配置されている片側２行ずつ、両側を合わせて合計４行の前記吐出孔行に属する前記吐出孔と、前記加圧室を介して繋がっており、
前記ｆ行目共通流路（ｆは１、２、・・・ｎのすべて）と繋がっている前記吐出孔行を、前記第２方向に並んでいる順に、４×ｆ−３行目吐出孔行、４×ｆ−２行目吐出孔行、４×ｆ−１行目吐出孔行、４×ｆ行目吐出孔行とし、また、それらの前記吐出孔行に属する前記吐出孔を、それぞれ４×ｆ−３行目吐出孔、４×ｆ−２行目吐出孔、４×ｆ−１行目吐出孔、４×ｆ行目吐出孔とし、
前記ｇ行目共通流路（ｇは１、２、・・・ｎ−１のすべて）と、前記ｇ＋１行目共通流路との間に配置されている４行の前記吐出孔行を合わせて、ｇ組目吐出孔組とし、該ｇ組目吐出孔組に属する前記吐出孔をｇ組目吐出孔とし、
前記ｈ行目吐出孔（ｈは３、５、７、・・・４×ｎ−３のすべて）と、当該ｈ行目吐出孔の最も近くに配置されている前記ｈ＋１行目吐出孔とは、前記第１方向に関して、間に２×ｎ−１個の前記吐出孔を挟んで配置されており、
前記ｉ行目吐出孔（ｉは４、８、１２、・・・４×（ｎ−１）のすべて）と、当該ｉ行目吐出孔の最も近くに配置されている前記ｉ＋１行目吐出孔とは、前記第１方向に関して、間にｎ−２個かｎ個かのいずれかの前記吐出孔を挟んで配置されており、
前記１行目吐出孔と前記２行目吐出孔は、前記第１方向に隣り合って配置されており、
前記１行目吐出孔と前記２行目吐出孔との前記吐出孔の対は、前記ｎ／２組目吐出孔と、前記ｎ／２−１組目吐出孔か前記ｎ／２＋１組目吐出孔かのいずれかの前記吐出孔との間に隣り合って配置されており、
前記４×ｎ−１行目吐出孔と前記４×ｎ行目吐出孔は、前記第１方向に隣り合って配置されており、
前記４×ｎ−１行目吐出孔と前記４×ｎ行目吐出孔との前記吐出孔の対は、前記ｎ／２組目吐出孔と、前記ｎ／２−１組目吐出孔か前記ｎ／２＋１組目吐出孔かのいずれかの前記吐出孔との間に隣り合って配置されている請求項１に記載の液体吐出ヘッド。
【請求項５】
平面視したときに、
前記複数の共通流路は、ｎ本（nは５以上の奇数のいずれか１つ）存在し、
前記複数の共通流路を、前記第２方向に並んでいる順に、１行目共通流路、２行目共通流路、・・・ｎ行目共通流路とし、
前記複数の吐出孔は、前記吐出孔が前記第１方向に所定間隔で並んで構成されている複数の吐出孔行を構成しており、
該複数の吐出孔行は、４×ｎ本存在し、かつ前記第２方向に並んで配置されており、
１つの前記共通流路は、当該共通流路に沿って配置されている片側２行ずつ、両側を合わせて合計４行の前記吐出孔行に属する前記吐出孔と、前記加圧室を介して繋がっており、
前記ｆ行目共通流路（ｆは１、２、・・・ｎのすべて）と繋がっている前記吐出孔行を、前記第２方向に並んでいる順に、４×ｆ−３行目吐出孔行、４×ｆ−２行目吐出孔行、４×ｆ−１行目吐出孔行、４×ｆ行目吐出孔行とし、また、それらの前記吐出孔行に属する前記吐出孔を、それぞれ４×ｆ−３行目吐出孔、４×ｆ−２行目吐出孔、４×ｆ−１行目吐出孔、４×ｆ行目吐出孔とし、
前記ｇ行目共通流路（ｇは１、２、・・・ｎ−１のすべて）と、前記ｇ＋１行目共通流路との間に配置されている４行の前記吐出孔行を合わせて、ｇ組目吐出孔組とし、該ｇ組目吐出孔組に属する前記吐出孔をｇ組目吐出孔とし、
前記ｈ行目吐出孔（ｈは３、５、７、・・・４×ｎ−３のすべて）と、当該ｈ行目吐出孔の最も近くに配置されている前記ｈ＋１行目吐出孔とは、前記第１方向に関して、間に
２×ｎ−１個の前記吐出孔を挟んで配置されており、
前記ｉ行目吐出孔（ｉは４、８、１２、・・・４×（ｎ−１）のすべて）と、当該ｉ行目吐出孔の最も近くに配置されている前記ｉ＋１行目吐出孔とは、前記第１方向に関して、間にｎ−２個かｎ個かのいずれかの前記吐出孔を挟んで配置されており、
前記１行目吐出孔と前記２行目吐出孔は、前記第１方向に隣り合って配置されており、
前記１行目吐出孔と前記２行目吐出孔との前記吐出孔の対は、前記（ｎ−１）／２組目吐出孔と、前記（ｎ＋１）／２組目吐出孔との間に隣り合って配置されており、
前記４×ｎ−１行目吐出孔と前記４×ｎ行目吐出孔は、前記第１方向に隣り合って配置されており、
前記４×ｎ−１行目吐出孔と前記４×ｎ行目吐出孔との前記吐出孔の対は、前記（ｎ−１）／２組目吐出孔と、前記（ｎ＋１）／２組目吐出孔との間に隣り合って配置されている請求項１に記載の液体吐出ヘッド。
【請求項６】
平面視して、前記吐出孔組に属する前記吐出孔だけを見たときに、
前記第１方向に隣り合って配置されている前記吐出孔の一方が前記ｊ１組目吐出孔であり、他方が前記ｊ２組目吐出孔（ただしｊ１＜ｊ２）であるとすると、ｊ２−ｊ１＝１であるか、ｊ１＝１、ｊ２＝ｎ−１であるかのいずれかである請求項１から５のいずれかに記載の液体吐出ヘッド。
【請求項７】
平面視したときに、
前記ｋ１行目吐出孔（ｋ１は３、７、１１、・・・４×ｎ−５のすべて）は、前記第１方向に交差する第３方向に連なって配置されており、
前記ｋ２行目吐出孔（ｋ２は４、８、１２、・・・４×ｎ−４のすべて）は、前記第３方向に連なって配置されており、
前記ｋ３行目吐出孔（ｋ３は５、９、１３、・・・４×ｎ−３のすべて）は、前記第３方向に連なって配置されており、
前記ｋ４行目吐出孔（ｋ４は６、１０、１４、・・・４×ｎ−２のすべて）は、前記第３方向に連なって配置されている請求項１から６のいずれかに記載の液体吐出ヘッド。
【請求項８】
請求項１から７のいずれかに記載の前記液体吐出ヘッドと、記録媒体を前記液体吐出ヘッドに対して搬送する搬送部と、前記液体吐出ヘッドを制御する制御部を備えていることを特徴とする記録装置。
【発明の詳細な説明】
【技術分野】
【０００１】
本開示は、液体吐出ヘッド、およびそれを用いた記録装置に関する。
【背景技術】
【０００２】
従来、印刷用ヘッドとして、例えば、液体を記録媒体上に吐出することによって、各種の印刷を行なう液体吐出ヘッドが知られている。液体吐出ヘッドには、例えば、液体を吐出する吐出孔が二次元的に広がって多数配置されている。記録媒体には、各吐出孔から吐出された液体が並んで着弾することにより、印刷が行なわれる（例えば、特許文献１を参照。）。
【先行技術文献】
【特許文献】
【０００３】
【特許文献１】特開２００９−１４３１６８号公報
【発明の概要】
【０００４】
本開示の液体吐出ヘッドは、複数の吐出孔、複数の加圧室、および共通流路を有する流路部材と、複数の加圧部とを含んでいる。複数の加圧室は、複数の吐出孔とそれぞれ繋がっている。複数の加圧部は、複数の加圧室をそれぞれ加圧する。平面視したときに、複数の共通流路は、第１方向に伸びており、かつ第１方向と交差する方向である第２方向に並んで配置されている。複数の吐出孔は、隣り合う共通流路の間に配置されて構成されている複数の吐出孔組と、共通流路の間に配置されていない桁外吐出孔と、を有している。複数の吐出孔組は、第２方向に並んで配置されている。隣り合う吐出孔組は、１つの吐出孔組におけるｎ列に吐出孔Ａが位置するとき、共通流路を挟んで位置する隣の吐出孔組の吐出孔Ｂがｎ±１列に位置する部分を有する。第２方向の中央部に位置する吐出孔組における吐出孔Ｃがｎ列に位置しているのに対し、桁外吐出孔がｎ±１列に位置する。
【０００５】
また、本開示の記録装置は、上記に記載の液体吐出ヘッドと、記録媒体を前記液体吐出ヘッドに対して搬送する搬送部と、前記液体吐出ヘッドを制御する制御部を備えている。
【図面の簡単な説明】
【０００６】
【図１】（ａ）は、本開示の一実施形態に係る液体吐出ヘッドを含む記録装置の側面図であり、（ｂ）は平面図である。
【図２】（ａ）は、図１の液体吐出ヘッドの要部であるヘッド本体の平面図であり、（ｂ）は、（ａ）から第２流路部材を除いた平面図である。
【図３】図２（ｂ）の一部の拡大平面図である。
【図４】図２（ｂ）の一部の拡大平面図である。
【図５】（ａ）は、ヘッド本体の模式的な部分縦断面図であり、（ｂ）は、ヘッド本体の他の部分の縦断面図ある。
【図６】本開示の吐出孔の配置の一例である。
【図７】本開示の吐出孔の配置の一例である。
【図８】本開示の吐出孔の配置の一例である。
【図９】本開示の吐出孔の配置の一例である。
【発明を実施するための形態】
【０００７】
図１（ａ）は、本開示の一実施形態に係る液体吐出ヘッド２を含む記録装置であるカラーインクジェットプリンタ１（以下で単にプリンタと言うことがある）の概略の側面図であり、図１（ｂ）は、概略の平面図である。プリンタ１は、液体を吐出する液体吐出ヘッド２と、液体吐出ヘッド２に対して記録媒体を相対的に移動させる可動部を含んでいる。プリンタ１では、可動部は、搬送ローラ８２Ａ、８２Ｂ、８２Ｃ、８２Ｄなどの各搬送ローラやそれらを駆動するモータ等である。可動部は、記録媒体である印刷用紙Ｐを搬送ローラ８２Ａから搬送ローラ８２Ｃへと搬送する。制御部８８は、画像や文字等のデータである印刷データ等に基づいて、液体吐出ヘッド２を制御して、印刷用紙Ｐに向けて液体を吐出させ、印刷用紙Ｐに液体を着弾させて、印刷用紙Ｐに印刷などの記録を行なう。
【０００８】
本実施形態では、液体吐出ヘッド２はプリンタ１に対して固定されており、プリンタ１はいわゆるラインプリンタとなっている。記録装置の他の実施形態としては、液体吐出ヘッド２を、印刷用紙Ｐの搬送方向に交差する方向、例えば、ほぼ直交する方向に往復させるなどして移動させ、その途中で液体を吐出する動作と、印刷用紙Ｐの搬送とを交互に行なう、いわゆるシリアルプリンタが挙げられる。シリアルプリンタでは、可動部は、液体吐出ヘッド２が搭載されたキャリッジ、およびキャリッジを印刷用紙Ｐの搬送方向に交差する方向に往復させるモータを含んでいる。可動部には、印刷用紙Ｐを搬送するローラや、そのローラを駆動するモータ等を含んでもよい。
【０００９】
プリンタ１には、印刷用紙Ｐとほぼ平行となるように、４つの平板状のヘッド搭載フレーム７０（以下で単にフレームと言うことがある）が固定されている。各フレーム７０には図示しない５個の孔が設けられており、５個の液体吐出ヘッド２がそれぞれの孔の部分に搭載されている。１つのフレーム７０に搭載されている５つの液体吐出ヘッド２は、１つのヘッド群７２を構成している。プリンタ１は、４つのヘッド群７２を有しており、合計２０個の液体吐出ヘッド２が搭載されている。
【００１０】
フレーム７０に搭載された液体吐出ヘッド２は、液体を吐出する部位が印刷用紙Ｐに面するようになっている。液体吐出ヘッド２と印刷用紙Ｐとの間の距離は、例えば０．５〜２０ｍｍ程度とされる。
【００１１】
２０個の液体吐出ヘッド２は、制御部８８と直接繋がっていてもよいし、間に印刷データを分配する分配部を介して接続してもよい。分配部は、例えば、制御部８８から送られた印刷データを、２０個の液体吐出ヘッド２に分配してもよい。また、例えば、４つのヘッド群７２に対応する４つの分配部を用いて、制御部８８から、４つの分配部に送られた印刷データを、各分配部は、対応するヘッド群７２内の５つの液体吐出ヘッド２に分配してもよい。
【００１２】
液体吐出ヘッド２は、図１（ａ）の手前から奥へ向かう方向、図１（ｂ）の上下方向に細長い長尺形状を有している。１つのヘッド群７２内において、３つの液体吐出ヘッド２は、印刷用紙Ｐの搬送方向に交差する方向、例えば、ほぼ直交する方向に沿って並んでいる。また、他の２つの液体吐出ヘッド２は搬送方向に沿ってずれた位置で、３つの液体吐出ヘッド２における隣り合う液体吐出ヘッド２との間にそれぞれ一つずつ並んでいる。別の表現をすれば、１つのヘッド群７２において、液体吐出ヘッド２は、千鳥状に配置されている。液体吐出ヘッド２は、各液体吐出ヘッド２で印刷可能な範囲が、印刷用紙Ｐの搬送方向に交差する方向、すなわち、印刷用紙Ｐの幅方向に繋がるように、あるいは端が重複するように配置されており、印刷用紙Ｐの幅方向に隙間のない印刷が可能になっている。
【００１３】
４つのヘッド群７２は、印刷用紙Ｐの搬送方向に沿って配置されている。各液体吐出ヘッド２には、図示しない液体供給タンクから液体、例えば、インクが供給される。１つのヘッド群７２に属する液体吐出ヘッド２には、同じ色のインクが供給されるようになっており、４つのヘッド群７２で４色のインクが印刷できる。各ヘッド群７２から吐出されるインクの色は、例えば、マゼンタ（Ｍ）、イエロー（Ｙ）、シアン（Ｃ）およびブラック（Ｋ）である。このようなインクを、制御部８８で制御して印刷すれば、カラー画像が印刷できる。
【００１４】
印刷するために液体供給タンクに収容される液体の粘度は、例えば５ｍＰａ・ｓ以上１５ｍＰａ・ｓ以下とされる。液体供給タンクには、収容された液体の粘度が高くなったり、成分の沈降など起き難いように、液体を攪拌させる攪拌部を設けてもよい。
【００１５】
プリンタ１では、液体吐出ヘッド２で吐出しなかった液体の液体吐出ヘッド２から回収してもよい。回収した液体は、液体吐出ヘッド２に液体を供給する液体供給タンクに戻してもよいし、液体回収タンクに溜めてもよい。液体回収タンクに溜めた液体は、必要応じて、フィルタを通したり、粘度調整などをして、印刷に使用することができる。
【００１６】
プリンタ１に搭載されている液体吐出ヘッド２の個数は、単色で、１つの液体吐出ヘッド２で印刷可能な範囲を印刷するのであれば、１つでもよい。ヘッド群７２に含まれる液体吐出ヘッド２の個数や、ヘッド群７２の個数は、印刷する対象や印刷条件により適宜変更できる。例えば、さらに多色の印刷をするためにヘッド群７２の個数を増やしてもよい。また、同色で印刷するヘッド群７２を複数配置して、搬送方向に交互に印刷すれば、同じ性能の液体吐出ヘッド２を使用しても搬送速度を速くできる。これにより、時間当たりの印刷面積を大きくすることができる。また、同色で印刷するヘッド群７２を複数準備して、搬送方向と交差する方向にずらして配置して、印刷用紙Ｐの幅方向の解像度を高くしてもよい。
【００１７】
さらに、色のあるインクを印刷する以外に、印刷用紙Ｐの表面処理をするために、コーティング剤などの液体を、液体吐出ヘッド２で、一様に、あるいはパターンニングして印刷してもよい。コーティング剤としては、例えば、記録媒体として液体が浸み込み難いものを用いる場合において、液体が定着し易いように、液体受容層を形成するものが使用できる。他に、コーティング剤としては、記録媒体として液体が浸み込み易いものを用いる場合において、液体のにじみが大きくなり過ぎたり、隣に着弾した別の液体とあまり混じり合わないように、液体浸透抑制層を形成するものが使用できる。コーティング剤は、液体吐出ヘッド２で印刷する以外に、制御部８８が制御する塗布部７５で一様に塗布してもよい。
【００１８】
プリンタ１は、記録媒体である印刷用紙Ｐに印刷を行なう。印刷用紙Ｐは、給紙ローラ８０Ａに巻き取られた状態になっており、給紙ローラ８０Ａから送り出された印刷用紙Ｐは、フレーム７０に搭載されている液体吐出ヘッド２の下側を通り、その後２つの搬送ローラ８２Ｃの間を通り、最終的に回収ローラ８０Ｂに回収される。印刷する際には、搬送ローラ８２Ｃを回転させることで印刷用紙Ｐは、一定速度で搬送され、液体吐出ヘッド２によって印刷される。
【００１９】
続いて、プリンタ１の詳細について、印刷用紙Ｐが搬送される順に説明する。給紙ローラ８０Ａから送り出された印刷用紙Ｐは、２つの搬送ローラ８２Ａの間を通った後、塗布部７５の下を通る。塗布部７５は、印刷用紙Ｐに、上述のコーティング剤を塗布する。
【００２０】
印刷用紙Ｐは、続いて、液体吐出ヘッド２が搭載されたフレーム７を収納した、ヘッド室７４に入る。ヘッド室７４は、印刷用紙Ｐが出入りする部分などの一部において外部と繋がっているが、概略、外部と隔離された空間である。ヘッド室７４は、必要に応じて、制御部８８等によって、温度、湿度、および気圧等の制御因子が制御される。ヘッド室７４では、プリンタ１が設置されている外部と比較して、外乱の影響を少なくできるので、上述の制御因子の変動範囲を外部よりも狭くできる。
【００２１】
ヘッド室７４には、５個の搬送ローラ８２Ｂが配置されており、印刷用紙Ｐは、搬送ローラ８２Ｂの上を搬送される。５個の搬送ローラ８２Ｂは、側面から見て、フレーム７０が配置されている方向に向けて、中央が凸になるように配置されている。これにより、５個の搬送ローラ８２Ｂの上を搬送される印刷用紙Ｐは、側面から見て円弧状になっており、印刷用紙Ｐに張力を加えることで、各搬送ローラ８２Ｂ間の印刷用紙Ｐが平面状になるように張られる。２つの搬送ローラ８２Ｂの間には、１つのフレーム７０が配置されている。各フレーム７０は、その下を搬送される印刷用紙Ｐと平行になるように、設置される角度が少しずつ変えられている。
【００２２】
ヘッド室７４から外に出た印刷用紙Ｐは、２つの搬送ローラ８２Ｃの間を通り、乾燥部７６の中を通り、２つの搬送ローラ８２Ｄの間を通り、回収ローラ８０Ｂに回収される。印刷用紙Ｐの搬送速度は、例えば、１００〜２００ｍ／分とされる。各ローラは、制御部８８によって制御されてもよいし、人によって手動で操作されてもよい。
【００２３】
乾燥部７６で乾燥することにより、回収ローラ８０Ｂにおいて、重なって巻き取られる印刷用紙Ｐ同士が接着したり、未乾燥の液体が擦れることが起き難くできる。高速で印刷するためには、乾燥も速く行なう必要がある。乾燥を速くするため、乾燥部７６では、複数の乾燥方式により順番に乾燥してもよいし、複数の乾燥方式を併用して乾燥してもよい。そのような際に用いられる乾燥方式としては、例えば、温風の吹き付け、赤外線の照射、加熱したローラへの接触などがある。赤外線の照射する場合は、印刷用紙Ｐへのダメージを少なくしつつ乾燥を速くできるように、特定の周波数範囲の赤外線を当ててもよい。印刷用紙Ｐを加熱したローラに接触させる場合は、印刷用紙Ｐをローラの円筒面に沿って搬送させことで、熱が伝わる時間を長くしてもよい。搬送させる範囲は、１／４周以上がよく、さらに１／２周以上にするのがよい。ＵＶ硬化インク等を印刷する場合には、乾燥部７６の代わりに、あるいは乾燥部７６に追加してＵＶ照射光源を配置してもよい。ＵＶ照射光源は、各フレーム７０の間に配置してもよい。
【００２４】
回収ローラ８０Ｂに回収可能なように、印刷された液体を、乾燥あるいは硬化させられた印刷用紙Ｐは、撮像部７７により撮像され、印刷状態を確認される。印刷状態の確認は、テストパターンを印刷して行なってもよいし、印刷する目的の印刷データを印刷して行なってもよい。撮像は、印刷用紙Ｐを搬送しながら、すなわち、印刷用紙Ｐの他の部分を印刷しながら行なってもよいし、搬送を停止して行なってもよい。
【００２５】
撮像された撮像データは、制御部８８により、印刷されていない部分や、印刷精度が低い部分がないかを評価される。具体的には、液体が吐出されなかったために印刷されていない画素がないか、あるいは、吐出された液体の吐出量、吐出速度、および吐出方向が、目標としている値からずれたり、飛翔中の液体が、気体の流動等の影響を受けることで、着弾位置がずれたり、着弾後の画素の広がりが小さくなったり、大きくなったりしていないかが評価される。
【００２６】
制御部８８は、撮像データに、設定された閾値以上のずれ等を検出した場合は、その結果を報知してもよい。また、印刷中であれば、印刷を停止したり、再開予定の印刷を再開しなくてもよい。
【００２７】
また、制御部８８は、撮像データから検出されたずれを補正するように、印刷データを改変して、改変した印刷データに基づいて、液体吐出ヘッド２から液体を吐出させるようにしてもよい。具体的には、制御部８８は、印刷されない画素、大きさの小さい画素、濃度の薄い画素があった場合、元の印刷データに対して、その画素の周囲に着弾する液体の量を増やした印刷データを作成し、印刷してもよい。同様に、画素の大きさが大きかったり、画素の濃度が濃かった場合には、その画素の周囲に着弾する液体の量を減らした印刷データを作成してもよい。着弾位置がある方向にずれていた場合は、ずれた方向の周囲に着弾する液体の量を減らし、ずれた方向と反対の方向の周囲に着弾する液体の量を増やした印刷データを作成してもよい。印刷データを改変する範囲は、ズレが検出された画素に隣り合った画素だけでなく、それよりも広い範囲としてもよい。
【００２８】
プリンタ１は、液体吐出ヘッド２をクリーニングするクリーニング部を備えていてもよい。クリーニング部は、例えば、ワイピングや、キャッピングして洗浄を行なう。ワイピングは、例えば、柔軟性のあるワイパーで、液体が吐出される部位の面、例えば後述の吐出孔面４−２を擦ることで、その面に付着していた液体を取り除く。キャッピングしての洗浄は、例えば、次のように行なう。液体を吐出される部位、例えば後述の吐出孔面４−２を覆うようにキャップを被せる（これをキャッピングと言う）ことで、吐出孔面４−２とキャップとで、ほぼ密閉されて空間が作られる。そのような状態で、液体の吐出を繰り返すことで、吐出孔８に詰まっていた、標準状態よりも粘度が高くなっていた液体や、異物等を取り除く。キャッピングしてあることで、洗浄中の液体がプリンタ１に飛散し難く、液体が、印刷用紙Ｐやローラ等の搬送機構に付着し難くできる。洗浄を終えた吐出孔面４−２を、さらにワイピングしてもよい。ワイピングや、キャッピングしての洗浄は、プリンタ１に取り付けられているワイパーやキャップを人が手動で操作して行なってもよいし、制御部８８によって自動で行なってもよい。
【００２９】
記録媒体は、印刷用紙Ｐ以外に、ロール状の布などでもよい。また、プリンタ１は、印刷用紙Ｐを直接搬送する代わりに、搬送ベルトを直接搬送して、記録媒体を搬送ベルトに置いて搬送してもよい。そのようにすれば、枚葉紙や裁断された布、木材、タイルなどを記録媒体にできる。さらに、液体吐出ヘッド２から導電性の粒子を含む液体を吐出するようにして、電子機器の配線パターンなどを印刷してもよい。またさらに、液体吐出ヘッド２から反応容器などに向けて所定量の液体の化学薬剤や化学薬剤を含んだ液体を吐出させて、反応させるなどして、化学薬品を作製してもよい。
【００３０】
また、プリンタ１に、位置センサ、速度センサ、温度センサなどを取り付けて、制御部８８が、各センサからの情報から分かるプリンタ１各部の状態に応じて、プリンタ１の各部を制御してもよい。例えば、液体吐出ヘッド２の温度や、液体吐出ヘッド２に液体を供給する液体供給タンクの液体の温度、液体供給タンクの液体が液体吐出ヘッド２に加えている圧力などが、吐出される液体の吐出特性、すなわち、吐出量や吐出速度などに影響を与えている場合などに、それらの情報に応じて、液体を吐出させる駆動信号を変えるようにしてもよい。
【００３１】
次に、本開示の一実施形態の液体吐出ヘッド２について説明する。図２（ａ）は、図１に示された液体吐出ヘッド２の要部であるヘッド本体２ａを示す平面図である。図２（ｂ）は、ヘッド本体２ａから第２流路部材６を除いた状態の平面図である。図３は、図２（ｂ）の一点鎖線の範囲のヘッド本体２ａの拡大平面図である。図４は、図３の一点鎖線の範囲のヘッド本体２ａの拡大平面図である。図５（ａ）は、ヘッド本体２ａの、模式的な部分縦断面図である。図５（ａ）では、流路の繋がっている状態を示すために、実際には、同一の縦断面に存在しない流路を、同一の縦断面に存在するかのように描いている。具体的には、プレート４ｇから上は、図４のｉ−ｉに沿った断面であり、プレート４ｈから下上は、図４のｉｉ−ｉｉに沿った断面である。図５（ｂ）は、ヘッド本体２ａの、他の部分の縦断面図である。ただし、図５（ｂ）には、図２（ａ）には描いていない信号伝達部６０も描いてある。
【００３２】
各図は、図面を分かり易くするために次のように描いている。図２〜４では、他のものの下方にあって破線で描くべき流路などを実線で描いている。図４においては、図を左右に分けている中央の２点鎖線の左側では、第２個別流路１４を省略して描いており、２点鎖線の右側では、第１個別流路１２、個別電極４４および接続電極４６を省略して描いている。
【００３３】
液体吐出ヘッド２は、ヘッド本体２ａ以外に、筐体や、ドライバＩＣ、配線基板などを含んでいてもよい。また、ヘッド本体２ａは、第１流路部材４と、第１流路部材４に液体を供給する第２流路部材６と、変位素子５０を含む圧電アクチュエータ基板４０とを含んでいる。圧電アクチュエータ基板４０は、加圧部にあたる。ヘッド本体２ａは、第１方向に長い平板形状を有しており、その方向を長手方向と言うことがある。また、第２流路部材６は、ヘッド本体２ａの構造を支持する支持部材の役割を果たしており、ヘッド本体２ａは、第２流路部材６の長手方向の両端部のそれぞれでフレーム７０に固定される。
【００３４】
ヘッド本体２ａを構成する第１流路部材４は、平板状の形状を有しており、その厚さは０．５〜２ｍｍ程度である。第１流路部材４の一つの面である加圧室面４−１には、加圧室１０が平面方向に多数並んで配置されている。第１流路部材４の、加圧室面４−１と反対の面である吐出孔面４−２には、液体が吐出される吐出孔８が平面方向に多数並んで配置されている。吐出孔８は、それぞれ加圧室１０と繋がっている。以下では、加圧室面４−１は、吐出孔面４−２に対して、上方に位置しているとして説明をする。
【００３５】
第１流路部材４には、複数の第１共通流路２０および複数の第２共通流路２２が、第１方向に沿って伸びるように配置されている。以下で、第１共通流路２０と第２共通流路２２とを合わせて、共通流路と言うことがある。第１共通流路２０と第２共通流路２２とは上下に重なって配置されている。第１方向と交差する方向を第２方向とする。図２，３に示す例において、第１共通流路２０および第２共通流路２２は、それぞれ８本あり、第２方向に並んで配置されている。また、第１方向と反対の方向を第３方向とし、第２方向の反対の方向を第４方向とし、第１方向に交差する方向を第５方向とする。各図には、第１〜５方向を、Ｄ１〜５で示している。
【００３６】
第１共通流路２０および第２共通流路２２の両側に沿って、第１共通流路２０および第２共通流路２２と繋がっている加圧室１０、および加圧室１０と繋がっている吐出孔８が並んでいる。第１共通流路２０および第２共通流路２２と繋がっている加圧室１０は、共通流路の片側２行ずつ、両側を合わせて合計４行の加圧室行１１Ａを構成している。また、第１共通流路２０および第２共通流路２２と繋がっている吐出孔８は、共通流路の片側２行ずつ、両側を合わせて合計４行の吐出孔行９Ａを構成している。第１共通流路２０および第２共通流路２２は８本あるので、加圧室行１１Ａおよび吐出孔行９Ａは、全体で３２行ある。
【００３７】
第１共通流路２０とその両側に並んでいる４行の加圧室１０とは、第１個別流路１２を介して繋がっている。第２共通流路２２とその両側に並んでいる４行の加圧室１０とは、第２個別流路１４を介して繋がっている。
【００３８】
以上のような構成により、第１流路部材４においては、第１共通流路２０に供給された液体は、第１共通流路２０に沿って並んでいる加圧室１０に流れ込み、圧電アクチュエータ基板４０による加圧により一部の液体は吐出孔８から吐出され、他の一部の液体は、第１共通流路２０と重なって配置されている第２共通流路２２に流れ込み、第１流路部材４から外部に排出される。
【００３９】
第１共通流路２０は、第２共通流路２２の上に重なるように配置されている。第１共通流路２０は、第１個別流路１２が繋がっている範囲の外側において、第１方向および第３方向の両方の端部に配置されている開口２０ｂで第１流路部材４の外部に開口している。第２共通流路２２は、第２個別流路１４が繋がっている範囲の外側で、かつ第１共通流路２０の開口２０ｂよりも外側において、第１方向および第３方向の両方の端部に配置されている開口２２ｂで第１流路部材４の外部に開口している。下側に配置されている第２共通流路２２の開口２２ｂが、上側に配置されている第１共通流路２０の開口２０ｂの外側に配置されていることで、空間効率がよくなる。
【００４０】
第１共通流路２０の第１方向側に開口２０ａと第３方向側に開口２０ａとからは、ほぼ同量の液体が供給され、第１共通流路２０の中央に向かって流れていく。１つの第１共通流路２０および１つの第２共通流路２２に繋がっている吐出孔８からの液体の吐出量が、場所によらずほぼ一定の場合、第１共通流路２０の流れは、中央に向かうにしたがって遅くなり、ほぼ中央でゼロになる。第２共通流路２２における流れはこれと逆で、ほぼ中央でゼロであり、外側に向かうにしたがって流れは速くなる。
【００４１】
液体吐出ヘッド２では、様々なものを記録するため、１つの第１共通流路２０および１つの第２共通流路２２に繋がっている吐出孔８からの液体の吐出量は、様々な分布になる。第１方向側の吐出孔８からの吐出量が多い場合、流れがゼロとなる場所は、中央よりも第１方向側になる。逆に、第３方向側の吐出孔８からの吐出量が多い場合、流れがゼロとなる場所は、中央よりも第３方向側になる。このように、記録するものによって吐出の分布が変わることにより、流れがゼロとなる場所が移動する。これにより、ある瞬間に、流れがゼロとなって液体が滞留したとしても、吐出の分布が変わることにより、その場所での滞留は解消されるので、同じ場所で液体が滞留し続けることによる、顔料の沈降や、液体の固着などを起き難くできる。
【００４２】
第１共通流路２０に繋がっている第１個別流路１２の第１共通流路２０側の部分に加わる圧力は、圧力損失の影響で、第１共通流路２０に第１個別流路１２が繋がっている位置（主に第１方向における位置）により変わる。第２共通流路２２に繋がっている第２個別流路１４側の部分に加わる圧力は、圧力損失の影響で、第２共通流路２２に第２個別流路１４が繋がっている位置（主に第１方向における位置）により変わる。１つの吐出孔８における液体の圧力をほぼゼロにすれば、上述の圧力変化は対称に変化するので、すべての吐出孔８で液体の圧力をほぼゼロにできる。
【００４３】
１つの吐出孔行９Ａでは、吐出孔８は５０ｄｐｉ（約２５．４ｍｍ／５０）の間隔で配置されている。３２行の吐出孔行９Ａがあり、それらに含まれる吐出孔８が、第１方向に互いにずれて配置されていることにより、全体で１６００ｄｐｉの間隔で吐出孔８が配置されている。
【００４４】
より具体的には、図３において、吐出孔８を第１方向と直交する方向に投影すると、仮想直線Ｒの範囲に３２個の吐出孔８が投影され、仮想直線Ｒ内で各吐出孔８は１６００ｄｐｉの間隔に並ぶ。これにより、仮想直線Ｒに直交する方向に印刷用紙Ｐを搬送して印刷すれば、１６００ｄｐｉの解像度で印刷できる。
【００４５】
第２流路部材６は、第１流路部材４の加圧室面４−１に接合されており、第１共通流路２０に液体を供給する第１統合流路２４と、第２共通流路２２の液体を回収する第２統合流路２６とを有している。第２流路部材６の厚さは、第１流路部材４よりも厚く、５〜３０ｍｍ程度である。
【００４６】
第２流路部材６は、第１流路部材４の加圧室面４−１における、圧電アクチュエータ基板４０が接続されていない領域で接合されている。より具体的には、圧電アクチュエータ基板４０を囲むように接合されている。このようにすることで、圧電アクチュエータ基板４０に、吐出した液体の一部がミストとなって付着するのを抑制できる。また、圧電アクチュエータ基板４０を囲むように、第１流路部材４を外周で固定することになるので、第１流路部材４が変位素子５０の駆動にともなって振動して、共振などが生じるのを抑制できる。
【００４７】
第１統合流路２４の第３方向の端部には、第２流路部材６の上面に開口している開口２４ｂが配置されている。第１統合流路２４は２つに分岐しており、一方は第３方向側の第１共通流路２０の開口２０ｂに繋がっており、もう一方は第１方向側の第１共通流路２０の開口２０ｂに繋がっている。第２統合流路２６の第１方向の端部には、第２流路部材６の上面に開口している開口２６ｂが配置されている。第２統合流路２６は２つに分岐しており、一方は第１方向側の第２共通流路２２の開口２２ｂに繋がっており、もう一方は第３方向側の第２共通流路２２の開口２２ｂに繋がっている。印刷をする場合には、外部から第１統合流路２４の開口２４ｂに液体を供給し、吐出しなかった液体は、第２統合流路２６の開口２６ｂから回収する。
【００４８】
また、第２流路部材６には、第２流路部材６を上下に貫通している貫通孔６ａが配置されている。貫通孔６ａには、圧電アクチュエータ基板４０を駆動する駆動信号を伝達するＦＰＣ（Flexible Printed Circuit）などの信号伝達部６０が通される。
【００４９】
第１統合流路２４を、第１流路部材４とは別の、第１流路部材４より厚い第２流路部材６に配置することで、第１統合流路２４の断面積を大きくすることができ、それにより第１統合流路２４と第１共通流路２０とが繋がっている位置の差による圧力損失の差を小さくできる。第１統合流路２４の流路抵抗は、第１共通流路２０の１／１００以下にするのが好ましい。ここで、第１統合流路２４の流路抵抗とは、より正確には第１統合流路２４のうちで、第１共通流路２０と繋がっている範囲の流路抵抗のことである。
【００５０】
第２統合流路２６を、第１流路部材４とは別の、第１流路部材４より厚い第２流路部材６に配置することで、第２統合流路２６の断面積を大きくすることができ、それにより第２統合流路２６と第２共通流路２２とが繋がっている位置の差による圧力損失の差を小さくできる。第２統合流路２６の流路抵抗は、第２共通流路２２の１／１００以下にするのが好ましい。ここで、第２統合流路２６の流路抵抗とは、より正確には第２統合流路２６のうちで、第１統合流路２４と繋がっている範囲の流路抵抗のことである。
【００５１】
第１統合流路２４を第２流路部材６の第２方向の端に配置し、第２統合流路２６を第２流路部材６の第４方向の端に配置し、それぞれの流路を第１流路部材４側に向かわせて、それぞれ第１共通流路２０および第２共通流路２２と繋げる構造にする。このような構造にすることで、第１統合流路２４および第２統合流路２６の断面積を大きくして、流路抵抗を小さくすることができる。またこのような構造にすることで、第１流路部材４は、外周が第２流路部材６で固定されるので剛性を高くできる。
【００５２】
第２流路部材６の下面には、第１統合流路２４となる溝と、第２統合流路２６となる溝が配置されている。第２流路部材６の第１統合流路２４となる溝は、下面の一部は第１流路部材４の上面で塞がれ、下面の他の部分は第１流路部材４の上面に配置されている、第１共通流路２０の開口２０ａと繋がることで、第１統合流路２４となっている。第２流路部材６の第２統合流路２６となる溝は、下面の一部は第１流路部材４の上面で塞がれる、下面の他の部分は第１流路部材４の上面に配置されている、第２共通流路２２の開口２２ａと繋がることで、第２統合流路２６となっている。
【００５３】
第１統合流路２４および第２統合流路２６には、ダンパを設けて、液体の吐出量の変動に対して液体の供給、あるいは排出が安定するようにしてもよい。また、第１統合流路２４および第２統合流路２６の内部や、第１共通流路２０あるいは第２共通流路２２との間に、フィルタを設けることにより、異物や気泡が、第１流路部材４に入り込み難くしてもよい。
【００５４】
第２流路部材６の上面は、金属製の筐体などで塞がれる。信号伝達部６０は、例えば筐体に収められた配線基板に電気的に接続される。配線基板と制御部８８とは、ケーブルなどで電気的に接続される。信号伝達部６０には変位素子５０を駆動するドライバＩＣを実装してもよい。ドライバＩＣを、金属製の筐体あるいはその筐体に熱が伝わりやすい部材に接触させることで、ドライバＩＣで発生した熱を外部に放出することができる。
【００５５】
加圧室面４−１には、変位素子５０を含む圧電アクチュエータ基板４０が接合されており、各変位素子５０が加圧室１０上に位置するように配置されている。圧電アクチュエータ基板４０は、加圧室１０によって構成された加圧室群とほぼ同一の形状の領域を占有している。また、各加圧室１０の開口は、第１流路部材４の加圧室面４−１に圧電アクチュエータ基板４０が接合されることで閉塞される。圧電アクチュエータ基板４０は、ヘッド本体２ａと同じ方向に長い長方形状である。また、圧電アクチュエータ基板４０には、各変位素子５０に信号を供給する信号伝達部６０が接続されている。第２流路部材６には、中央で、上下に貫通している貫通孔６ａがあり、信号伝達部６０は貫通孔６ａを通って制御部８８と電気的に繋がれる。信号伝達部６０は、圧電アクチュエータ基板４０の一方の長辺の端から他方の長辺の端に向かうように短手方向に伸びる形状にし、信号伝達部６０に配置される配線が短手方向に沿って伸び、長手方向に並ぶようにすれば、配線間の距離を大きくできる。
【００５６】
圧電アクチュエータ基板４０の上面における各加圧室１０に対向する位置には個別電極４４がそれぞれ配置されている。
【００５７】
第１流路部材４は、複数のプレートが積層された積層構造を有している。第１流路部材４の加圧室面４−１側にはプレート４ａが配置されており、プレート４ａから下には、プレート４ｂ〜４ｌが順に積層されている。なお、加圧室１０の側壁となる孔が形成されているプレート４ａをキャビティプレート４ａと呼び、共通流路の側壁となる孔が形成されているプレート４ｅ、ｆ、ｉ、ｊをマニホールドプレート４ｅ、ｆ、ｉ、ｊと呼び、吐出孔８が開口しているプレート４ｌをノズルプレート４ｌと呼ぶことがある。各プレートには多数の孔や溝が形成されている。孔や溝は、例えば、各プレートを金属で作製し、エッチングで形成できる。各プレートの厚さは１０〜３００μｍ程度であることにより、形成する孔の形成精度を高くできる。各プレートは、これらの孔が互いに連通して第１共通流路２０などの流路を構成するように、位置合わせして積層されている。
【００５８】
平板状の第１流路部材４の加圧室面４−１には、加圧室本体１０ａが開口していつおり、圧電アクチュエータ基板４０が接合されている。また、加圧室面４−１には、第１共通流路２０に液体を供給する開口２０ａ、および第２共通流路２２から液体を回収する開口２４ａが開口している。第１流路部材４の、加圧室面４−１と反対側の面である吐出孔面４−２には吐出孔８が開口している。
【００５９】
液体を吐出する構造としては、加圧室１０と吐出孔８とがある。加圧室１０は、変位素子５０に面している加圧室本体１０ａと、加圧室本体１０ａより断面積が小さい部分流路１０ｂから成っている。加圧室本体１０ａは、キャビティプレート４ａに形成されており、部分流路１０ｂは、プレート４ｂ〜ｋに形成された孔が重ねられ、さらにノズルプレート４ｌで吐出孔８以外の部分を塞がれて成っている。
【００６０】
加圧室本体１０ａには、第１個別流路１２が繋がっており、第１個別流路１２は、第１共通流路２０に繋がっている。第１個別流路１２は、プレート４ｂを貫通する円形状の孔とプレート４ｃを平面方向に伸びる細長い貫通溝と、プレート４ｄを貫通する円形状の孔とを含んでいる。
【００６１】
部分流路１０ｂには、第２個別流路１４が繋がっており、第２個別流路１４は、第２共通流路２２に繋がっている。第２個別流路１４はプレート４ｋの部分流路１０ｂとなる円形状の孔から繋がっている、平面方向に伸びる細長い貫通溝と、プレート４ｊを貫通する円形状の孔とを含んでいる第１部位１４ａ、およびプレート４ｉを貫通し、第２共通流路２２となる貫通溝に繋がっている矩形状の孔である第２部位１４ｂとを含んでいる。第２部位１４ｂは、他の部分流路１０ｂから繋がっている第２個別流路１４と共用になっており、２つの第２個別流路１４の第１部位１４ａは、プレート４ｉの第２部位１４ｂで一緒になった後、第２共通流路２２に繋がっている。
【００６２】
第１共通流路２０はプレート４ｅ、ｆに形成された孔が重ねられ、さらに上側をプレート４ｄで、下側をプレート４ｇで塞がれて成っている。第２共通流路２２はプレート４ｉ、ｊに形成された孔が重ねられ、さらに上側をプレート４ｈで、下側をプレート４ｋで塞がれて成っている。
【００６３】
液体の流れについてまとめると、第１統合流路２４に供給された液体は、第１共通流路２０および第１個別流路１２を順に通って加圧室１０に入り、一部の液体は吐出孔８から吐出される。吐出されなかった液体は、第２個別流路１４を通って、第２共通流路２２に入った後、第２統合流路２６に入り、ヘッド本体２ａの外部に排出される。
【００６４】
圧電アクチュエータ基板４０は、圧電体である２枚の圧電セラミック層４０ａ、４０ｂからなる積層構造を有している。これらの圧電セラミック層４０ａ、４０ｂはそれぞれ２０μｍ程度の厚さを有している。すなわち、圧電アクチュエータ基板４０の圧電セラミック層４０ａの上面から圧電セラミック層４０ｂの下面までの厚さは４０μｍ程度である。圧電セラミック層４０ａと圧電セラミック層４０ｂの厚さの比は、３：７〜７：３、好ましく４：６〜６：４にされる。圧電セラミック層４０ａ、４０ｂのいずれの層も複数の加圧室１０を跨ぐように延在している。これらの圧電セラミック層４０ａ、４０ｂは、例えば、強誘電性を有する、チタン酸ジルコン酸鉛（ＰＺＴ）系、ＮａＮｂＯ3系、ＢａＴｉＯ3系、（ＢｉＮａ）ＮｂＯ3系、ＢｉＮａＮｂ5Ｏ15系などのセラミックス材料からなる。なお、圧電セラミック層４０ｂは、本実施形態では振動板として働くものであり、直接的に圧電変形はしない。振動板として、圧電性を持たないセラミックスや金属板などを圧電セラミック層４０ｂの代わりに用いてもよい。
【００６５】
圧電アクチュエータ基板４０は、Ａｇ−Ｐｄ系などの金属材料からなる共通電極４２およびＡｕ系などの金属材料からなる個別電極４４を有している。共通電極４２の厚さは２μｍ程度であり、個別電極４４の厚さは、１μｍ程度である。
【００６６】
個別電極４４は、圧電アクチュエータ基板４０の上面における各加圧室１０に対向する位置に、それぞれ配置されている。個別電極４４は、平面形状が加圧室本体１０ａより一回り小さく、加圧室本体１０ａとほぼ相似な形状を有している個別電極本体４４ａと、個別電極本体４４ａから引き出されている引出電極４４ｂとを含んでいる。引出電極４４ｂの一端の、加圧室１０と対向する領域外に引き出された部分には、接続電極４６が形成されている。接続電極４６は、例えば銀粒子などの導電性粒子を含んだ導電性樹脂であり、５〜２００μｍ程度の厚さで形成されている。また、接続電極４６は、信号伝達部６０に設けられた電極と電気的に接合されている。
【００６７】
詳細は後述するが、個別電極４４には、制御部８８から信号伝達部６０を通じて駆動信号が供給される。駆動信号は、印刷用紙Ｐの搬送速度と同期して一定の周期で供給される。
【００６８】
共通電極４２は、圧電セラミック層４０ａと圧電セラミック層４０ｂとの間の領域に面方向のほぼ全面にわたって形成されている。すなわち、共通電極４２は、圧電アクチュエータ基板４０に対向する領域内のすべての加圧室１０を覆うように延在している。共通電極４２は、圧電セラミック層４０ａ上に個別電極４４からなる電極群を避ける位置に形成されている共通電極用表面電極（不図示）に、圧電セラミック層４０ａを貫通して形成された貫通導体を介して繋がっている。また、共通電極４２は、共通電極用表面電を介して接地され、グランド電位に保持されている。共通電極用表面電極は、個別電極４４と同様に、制御部８８と直接あるいは間接的に接続されている。
【００６９】
圧電セラミック層４０ａの個別電極４４と共通電極４２とに挟まれている部分は、厚さ方向に分極されており、個別電極４４に電圧を印加すると変位する、ユニモルフ構造の変位素子５０となっている。より具体的には、個別電極４４を共通電極４２と異なる電位にして圧電セラミック層４０ａに対してその分極方向に電界を印加したとき、この電界が印加された部分が、圧電効果により歪む活性部として働く。この構成において、電界と分極とが同方向となるように、制御部８８により個別電極４４を共通電極４２に対して正または負の所定電位にすると、圧電セラミック層４０ａの電極に挟まれた部分（活性部）が、面方向に収縮する。一方、非活性層の圧電セラミック層４０ｂは電界の影響を受けないため、自発的には縮むことがなく活性部の変形を規制しようとする。この結果、圧電セラミック層４０ａと圧電セラミック層４０ｂとの間で分極方向への歪みに差が生じて、圧電セラミック層４０ｂは加圧室１０側へ凸となるように変形（ユニモルフ変形）する。
【００７０】
続いて、液体の吐出動作について、説明する。制御部８８からの制御でドライバＩＣなどを介して、個別電極４４に供給される駆動信号により、変位素子５０が駆動（変位）させられる。本実施形態では、様々な駆動信号で液体を吐出させることができるが、ここでは、いわゆる引き打ち駆動方法について説明する。
【００７１】
あらかじめ個別電極４４を共通電極４２より高い電位（以下、高電位と称す）にしておき、吐出要求がある毎に個別電極４４を共通電極４２と一旦同じ電位（以下、低電位と称す）とし、その後所定のタイミングで再び高電位とする。これにより、個別電極４４が低電位になるタイミングで、圧電セラミック層４０ａ、４０ｂが元の（平らな）形状に戻り（始め）、加圧室１０の容積が初期状態（両電極の電位が異なる状態）と比較して増加する。これにより、加圧室１０内の液体に負圧が与えられる。そうすると、加圧室１０内の液体が固有振動周期で振動し始める。具体的には、最初、加圧室１０の体積が増加し始め、負圧は徐々に小さくなっていく。次いで加圧室１０の体積は最大になり、圧力はほぼゼロとなる。次いで加圧室１０の体積は減少し始め、圧力は高くなっていく。その後、圧力がほぼ最大になるタイミングで、個別電極４４を高電位にする。そうすると最初に加えた振動と、次に加えた振動とが重なり、より大きい圧力が液体に加わる。この圧力が部分流路１０ｂ内を伝搬し、吐出孔８から液体を吐出させる。
【００７２】
つまり、高電位を基準として、一定期間低電位とするパルスの駆動信号を個別電極４４に供給することで、液滴を吐出できる。このパルス幅は、加圧室１０の液体の固有振動周期の半分の時間であるＡＬ（Acoustic Length）とすると、原理的には、液体の吐出速度および吐出量を最大にできる。加圧室１０の液体の固有振動周期は、液体の物性、加圧室１０の形状の影響が大きいが、それ以外に、圧電アクチュエータ基板４０の物性や、加圧室１０に繋がっている流路の特性からの影響も受ける。
【００７３】
続いて、吐出孔８の配置について説明する。図６は、上述の液体吐出ヘッド２に用いることにできる吐出孔配置の一例である。上述の液体吐出ヘッド２は、吐出しなかった液体を回収する循環ヘッドであるが、この吐出孔配置は、回収を行なわない非循環ヘッドにも用いることができる。
【００７４】
循環ヘッドでは、第１共通流路２０および第２共通流路２２の両方が、以下で述べる共通流路と吐出孔８との関係を満たしてもよいし、どちらか片方だけが満たしていてもよい。第１共通流路２０と第２共通流路２２とを重なるように配置して、以下で述べる共通流路と吐出孔８との関係を満たすようにすれば、印刷の見た目が向上し、空間の利用効率も高くできる。非循環ヘッドとしては、例えば、上述の液体吐出ヘッド２の第２共通流路２２を無くし、第１共通流路２０の深さを深くし、第１共通流路２０から、加圧室１０に液体を供給するヘッドが考えられる。そのようなヘッドでは、第１共通流路２０が、以下で述べる共通流路と吐出孔８との関係を満たすようになっていればよい。
【００７５】
図６では、吐出孔８を黒丸で表している。第１方向である、図６の左右方向の升目の１つは、液体吐出ヘッド２の解像度に相当し、１／１６００インチ（１インチの１６００分の１）である。吐出孔８は、吐出孔８が第１方向に３２／１６００インチ毎に並んだ吐出孔行９Ａを構成している。吐出孔８は、３２／１６００インチ毎に同じパターンを繰り返して配置されており、図６の右側および左側にパターンは連なっている。
【００７６】
図６では、共通流路（Ｍ１〜Ｍ８）は８本ある。一般的に説明する場合は、共通流路の本数をｎ本とする。共通流路は、第２方向に並んでいる順番に、１行目共通流路、２行目共通流路、・・・ｎ行目共通流路と呼ぶ。図６では、１行目共通流路をＭ１、２行目共通流路をＭ２、・・・と表している。
【００７７】
１つの共通流路には４行の吐出孔行９Ａが繋がっている。１行目吐出孔行に繋がっている４行の吐出孔行９Ａを、第２方向に並んでいる順番に、１行目吐出孔行、２行目吐出孔行、３行目吐出孔行、４行目吐出孔行と呼ぶ。また、１行目吐出孔行に属する吐出孔８を、１行目吐出孔と呼ぶ。
【００７８】
本形態においては、ｆ行目共通流路（ｆは１、２、・・・ｎのすべて）と繋がっている吐出孔行９Ａを、第２方向に並んでいる順に、４×ｆ−３行目吐出孔行、４×ｆ−２行目吐出孔行、４×ｆ−１行目吐出孔行、４×ｆ行目吐出孔行とし、また、それらの吐出孔行９Ａに属する吐出孔８を、それぞれ４×ｆ−３行目吐出孔、４×ｆ−２行目吐出孔、４×ｆ−１行目吐出孔、４×ｆ行目吐出孔と称する。
【００７９】
図６では、２２行目吐出孔から順番に、第１方向に向かって列の番号を付けている。以上のように、行および列定義すれば、２２行目吐出孔は、１列目に配置されていることになり、このような吐出孔８を、吐出孔（２２、１）と表すことにする。
【００８０】
１行目共通流路と２行目共通流路との間に配置されている４行の吐出孔行９Ａ、すなわち、３行目吐出孔行、４行目吐出孔行、５行目吐出孔行、および６行目吐出孔行を合わせて、１組目吐出孔組と呼び、１組目吐出孔組に属する吐出孔８を１組目吐出孔と呼ぶ。図６では、１〜７組目吐出孔組を、Ｇ１〜７で示している。
【００８１】
本形態においては、ｇ行目共通流路（ｇは１、２、・・・ｎ−１のすべて）と、ｇ＋１行目共通流路との間に配置されている４行の吐出孔行９Ａを合わせて、ｇ組目吐出孔組とし、ｇ組目吐出孔組に属する吐出孔８をｇ組目吐出孔と称する。
【００８２】
吐出孔８から吐出される液体の吐出特性（液体の量、速度、方向など）は、様々な要因で変動する。人間が目で見た場合に、綺麗（印刷精度が高い）と感じるかどうかは、単純に１つ一つの液滴の吐出特性の良し悪しでは決まらない。印刷の濃度むらについて言えば、印刷物を近距離で見る場合１ｍｍ程度の間隔で濃度むらがある場合に、濃度むらがあると認識されやすい。濃度変化の間隔がそれより短くなっていくと、濃い部分と薄い部分の区別がつき難くなっていき、濃度むらが分かり難くなる。濃度変化の間隔がそれより長くなっていくと、濃度の変化が緩やかになり、濃度むらが分かり難くなる。
【００８３】
１６００ｄｐｉで、３２列毎に繰り返される吐出孔８の配置パターンでは、配置パターンは、３２／１６００インチ≒２５．４×３２／１６００ｍｍ≒０．５１ｍｍ毎に繰り返される。また、１２００ｄｐｉで、３２列毎に繰り返される吐出孔８の配置パターンでは、配置パターンは、３２／１２００インチ≒２５．４×３２／１２００ｍｍ≒０．６８ｍｍ毎に繰り返される。これらは１ｍｍに近い数値であり、吐出孔８の配置パターンに起因する濃度むらがあった場合、人に認識されやすくなる。本開示では、特定の要因で生じるおそれのある濃度むらの間隔を小さくすることで、濃度むらを人に認識され難くする。
【００８４】
共通流路と他の共通流路との間の領域を、桁上領域２８と称する（図３参照）。第１流路部材４は、薄い板状であるので、多数の変位素子５０が駆動されることで、振動する。その際、各桁上領域２８は、共通流路で隔てられているので、それぞれがある程度独立して振動する。１つの桁上領域２８に生じる振動は、その桁上領域２８に配置された加圧室１０に影響を与えて、その加圧室１０に繋がっている吐出孔８からの液滴の吐出特性に類似の変動を与えることがある。例えば、それらの吐出孔８から吐出される液体の量が多くなって、さらに、それらの液体の着弾位置が吐出孔８の配置パターンの中で近い位置であった場合、印刷の濃度は濃くなり、目立ちやすくなる。
【００８５】
吐出される液体の量が、同様に多くなった場合でも、吐出孔８の配置パターンの中で、それらが分散して配置されていれば、濃度むらは目立ち難くなる。集中して着弾した場合、濃度むらの間隔は、上述の通り３２／１６００インチ≒０．５１ｍｍ、３２／１２００インチ≒０．６８ｍｍであるのに対して、分散した場合は、濃い部分が４か所できるので、３２／４／１６００インチ≒０．１３ｍｍ、３２／４／１２００インチ≒０．１７ｍｍとなり、間隔が目立ちやすい１ｍｍから遠ざかるからである。
【００８６】
また、同じ共通流路に繋がっている吐出孔８は、共通流路の中の液体が振動することで、似たような傾向の吐出特性になりやすい。
【００８７】
以上の点から、１つの桁上領域２８に存在する４行の吐出孔行９Ａについて、同じ共通流路に繋がっている吐出孔８は第１方向にできるだけ離して配置し、かつ、４行の吐出孔行９Ａの吐出孔８が、第１方向に比較的均等に配置すれば、濃度むらを目立ち難くできる。
【００８８】
液体吐出ヘッド２において、隣り合う吐出孔組Ｇ３，Ｇ４は、１つの吐出孔組Ｇ３における６行に吐出孔Ａ（６、１４）が位置するとき、共通流路Ｍ４を挟んで位置する隣の吐出孔組Ｇ４の吐出孔Ｂ（７、１８）がｎ±１行である７行に位置する部分を有している。
【００８９】
さらに具体的には、まず、ｈ行目吐出孔（ｈは３、５、７、・・・４×ｎ−３のすべて）と、当該ｈ行目吐出孔の最も近くに配置されているｈ＋１行目吐出孔とは、第１方向に関して、間に２×ｎ−１個の吐出孔を挟んで配置する。これは、例えば図６では、吐出孔（２９、１９）と吐出孔（３０、３）の間のＲ１の範囲に、２×ｎ−１＝２×８−１＝１５個の吐出孔８が配置されていることに当たる。ｈ行目吐出孔とｈ＋１行目吐出孔とは、同じ桁上領域２８に存在し、同じ共通流路に繋がっているため、最も離れた位置に配置する。また、このように配置することで、それらに繋がっている加圧室１０同士を離れて配置しやすくなり、それらの加圧室１０の間のクロストークを減らしやすくできる。
【００９０】
さらに、ｉ行目吐出孔（ｉは４、８、１２、・・・４×（ｎ−１）のすべて）と、当該ｉ行目吐出孔の最も近くに配置されているｉ＋１行目吐出孔とは、第１方向に関して、間にｎ−１個の前記吐出孔を挟んで配置する。これは、例えば図６では、吐出孔（２８、２７）と吐出孔（２９、１９）の間のＲ２の範囲に、ｎ−１＝８−１＝７個の吐出孔８が配置されていることに当たる。そのように配置すれば、１つの吐出孔組に属する吐出孔８が第１方向に関して等間隔で並ぶ。これにより、それらの吐出孔８から吐出される液滴の吐出特性の変動が比較的大きくても、人に認識され難くできる。
【００９１】
続いて、桁上領域２８に配置されていない吐出孔８は、１行目吐出孔、２行目吐出孔、４×ｎ−１行目吐出孔、および４×ｎ行目吐出孔（以下で、これらを桁外吐出孔と言うことがある）の配置について説明する。
【００９２】
液体吐出ヘッド２をプリンタ１に取り付けるとき、平面方向の取り付け角度がずれることがある。第１方向に隣り合っている２つの吐出孔８は、第２方向に離れて配置されているので、液体吐出ヘッド２が平面方向に回転した状態で取り付けられると、第２方向に離れて配置されている分、２つの吐出孔８の着弾位置がずれる。液体吐出ヘッド２が回転している方向により、２つの吐出孔８の距離は近づいて、濃く見えるか、あるいは２つの吐出孔８の距離は遠ざかって、薄く見える。
【００９３】
上述の桁上領域２８の吐出孔８の配置を維持しつつ、１行目吐出孔および２行目吐出孔について、それらと第１方向に隣り合う吐出孔８との第２方向の距離を短くしようとすると、４×ｎ−１行目吐出孔および４×ｎ行目吐出孔と、それらと第１方向に隣り合う吐出孔８との第２方向の距離が長くなってしまう。そこで、それらの桁外吐出孔において、第１方向に隣り合う吐出孔８との第２方向の距離が長くならないように、桁外吐出孔が第１方向に隣り合うのは、第２方向の中央付近に配置された吐出孔組に属する吐出孔８にする。
【００９４】
すなわち、第２方向の中央部に位置する吐出孔組Ｇ４における吐出孔Ｃ（１８、７）が７行に位置しているのに対し、桁外吐出孔（３２、８）がｎ±１行である８行に位置している。
【００９５】
具体的には、ｎが偶数の場合は、１行目吐出孔、２行目吐出孔、４×ｎ−１行目吐出孔、および４×ｎ行目吐出孔は、第１方向に関して、ｎ／２組目吐出孔と、ｎ／２−１組目吐出孔かｎ／２＋１組目吐出孔かのいずれか吐出孔８との間に隣り合って配置する。これは、ｎ＝８の場合、１、２、３１、３２行目吐出孔は、第１方向に関して、ｎ／２＝４組目吐出孔と、ｎ／２−１＝３組目吐出孔かｎ／２＋１＝５組目吐出孔かのいずれか吐出孔８との間に隣り合って配置するということである。図６では、例えば３２行目吐出孔である吐出孔（３２、８）は、第１方向に関して、吐出孔（１８、７）と吐出孔（１９、９）の間に隣り合って配置されている。吐出孔（１８、７）は、４組目吐出孔であり、吐出孔（１９、９）は５組目吐出孔なので、前述の関係を満たしている。
【００９６】
これにより、桁外吐出孔は、液体吐出ヘッド２の設置角度ずれの影響を受け難くなる。
【００９７】
ｎが奇数の場合は、１行目吐出孔、２行目吐出孔、４×ｎ−１行目吐出孔、および４×ｎ行目吐出孔は、（ｎ−１）／２組目吐出孔と、（ｎ＋１）／２組目吐出孔との間に隣り合って配置すればよい。図７は、ｎ＝７の場合の配置の一例である。
【００９８】
なお、上述の配置では、第１方向において、桁外吐出孔が隣り合っている２つの吐出孔８を、どの吐出孔組に属する吐出孔８であるかを規定している。ｎが偶数の場合、ｎが４以上の場合、吐出孔組は３個になるので、そこから上述の条件に合うように２個を選ぶことで、好ましい設計をすることができる。ｎが奇数の場合、ｎが５以上の場合、吐出孔組は４個になるので、そこから上述の条件に合うように２個を選ぶことで、好ましい設計をすることができる。
【００９９】
桁上領域２８の吐出孔８についても、次のようにして、液体吐出ヘッド２の設置角度ずれの影響を受け難くすることができる。
【０１００】
具体的には、桁上領域２８に配置されている吐出孔８、すなわち吐出孔組に属する吐出孔８だけを見たときに、第１方向に隣り合って配置されている吐出孔８の一方がｊ１組目吐出孔であり、他方がｊ２組目吐出孔（ただしｊ１＜ｊ２）であるとすると、ｊ２−ｊ１＝１であるか、ｊ１＝１、ｊ２＝ｎ−１であるようにする。図６で言えば、第１方向に隣り合って配置されている吐出孔８の対は、１組目吐出孔と２組目吐出孔との対、２組目吐出孔と３組目吐出孔との対、３組目吐出孔と４組目吐出孔との対、４組目吐出孔と５組目吐出孔との対、５組目吐出孔と６組目吐出孔との対、６組目吐出孔と７組目吐出孔との対、１組目吐出孔と７組目吐出孔との対のいずれかとなっており、上述の条件を満たしている（分かり易いように、図６において、吐出孔（１９、９）と吐出孔（１５、１５）との間の吐出孔８の連なりを一点鎖線で囲んで示した）。なお、４組目吐出孔と５組目吐出孔との対とは、間に桁外吐出孔が配置されているが、ここでは、桁上領域２８に配置されている吐出孔８だけの関係を述べている。
【０１０１】
このように配置すれば、ｊ２−ｊ１＝１の関係になっている吐出孔８の対は、液体吐出ヘッド２の設置角度ずれの影響を受け難くすることができる。ｊ１＝１、ｊ２＝ｎ−１の関係になっている吐出孔８の対は、第２方向に比較的離れて配置されることになるが、このような対は、３２個の吐出孔８のパターンの中に４回、同じ間隔で現れるので、人には目立たなくなる。
【０１０２】
また、ｋ１行目吐出孔（ｋ１は３、７、１１、・・・４×ｎ−５のすべて）は、第５方向に連なって配置されており、ｋ２行目吐出孔（ｋ２は４、８、１２、・・・４×ｎ−４のすべて）は、第５方向に連なって配置されており、ｋ３行目吐出孔（ｋ３は５、９、１３、・・・４×ｎ−３のすべて）は、第５方向に連なって配置されており、ｋ４行目吐出孔（ｋ４は６、１０、１４、・・・４×ｎ−２のすべて）は、第５方向に連なって配置されている。
【０１０３】
このように配置することにより、第５方向に隣り合っている吐出孔８の対が、第２方向に離れている距離が平均化され、液体吐出ヘッド２の設置角度ずれの影響を受け難くすることができる。特に、桁上領域２８に配置されている吐出孔８、すなわち吐出孔組に属する吐出孔８だけを見たときに、第１方向に隣り合って配置されている吐出孔８の一方がｊ１組目吐出孔であり、他方がｊ２組目吐出孔（ただしｊ１＜ｊ２）であるとすると、ｊ２−ｊ１＝１であるか、ｊ１＝１、ｊ２＝ｎ−１であるようにした場合に、行なうと、ｊ１＝１、ｊ２＝ｎ−１関係になっている吐出孔８の対の第２方向の距離を短くできるので好ましい。
【０１０４】
図６では、例えば、ｋ４行目吐出孔は、１列目から７列目まで、２２行目吐出孔、２６行目吐出孔、３０行目吐出孔、６行目吐出孔、１０行目吐出孔、１４行目吐出孔、１８行目吐出孔の順で、第５方向に連なって配置されており、上述の関係を満たしている。
【０１０５】
図８および９は、本開示の他の吐出孔８の配置である。図８はｎ＝８、図９はｎ＝７である。これらについて、図６あるいは７と共通する説明を省いて、異なる点を説明する。
【０１０６】
図８および９では、ｉ行目吐出孔（ｉは４、８、１２、・・・４×（ｎ−１）のすべて）と、当該ｉ行目吐出孔の最も近くに配置されているｉ＋１行目吐出孔とは、第１方向に関して、間にｎ−１個の前記吐出孔を挟んで配置されている。図８および９では、次のようになっている。ｉ行目吐出孔（ｉは４、８、１２、・・・４×（ｎ−１）のすべて）と、当該ｉ行目吐出孔の最も近くに配置されているｉ＋１行目吐出孔とは、第１方向に関して、間にｎ−２個かｎ個かのいずれかの吐出孔８を挟んで配置されている。
【０１０７】
これは、１つの桁上領域２８に配置されている吐出孔８の第１方向の間隔を、すべて同じするのではなく、異なる共通流路に繋がっている吐出孔８の間の間隔が１列分短くなるか、１列分長くなるのを許容するものであり、その分設計の自由度が高くなる。
【０１０８】
図８では、２８行目吐出孔である吐出孔（２８、２８）と、２９行目吐出孔である吐出孔（２９、１９）との間の吐出孔の数は８個になっている。
【０１０９】
そして、このような配置にすることにともない、桁外吐出孔の配置も次のようにする。
【０１１０】
まず、ｎが偶数の場合、１行目吐出孔と２行目吐出孔は、第１方向に隣り合って配置されており、１行目吐出孔と２行目吐出孔との吐出孔８の対は、ｎ／２組目吐出孔と、ｎ／２−１組目吐出孔かｎ／２＋１組目吐出孔かのいずれかの吐出孔８との間に隣り合って配置されており、４×ｎ−１行目吐出孔と４×ｎ行目吐出孔は、第１方向に隣り合って配置されており、４×ｎ−１行目吐出孔と４×ｎ行目吐出孔との吐出孔８の対は、ｎ／２組目吐出孔と、ｎ／２−１組目吐出孔かｎ／２＋１組目吐出孔かのいずれかの吐出孔８との間に隣り合って配置されている。
【０１１１】
図８では、例えば、１行目吐出孔と２行目吐出孔は、吐出孔（１、２４）と吐出孔（２、２５）として、第１方向に隣り合って配置されており、１行目吐出孔と２行目吐出孔との吐出孔８の対は、ｎ／２＝８／２＝４組目吐出孔である吐出孔（１７、２３）と、ｎ／２＋１＝８／２＋１＝５組目吐出孔である吐出孔（２０、２６）との間に隣り合って配置されており、４×ｎ−１＝４×８−１＝３１行目吐出孔と４×ｎ＝４×８＝３２行目吐出孔は、吐出孔（３１、８）と吐出孔（３２、９）として、第１方向に隣り合って配置されており、３１行目吐出孔と３２行目吐出孔との吐出孔８の対は、４組目吐出孔である吐出孔（１８、７）と、５組目吐出孔である吐出孔（１９、１０）との間に隣り合って配置されている。
【０１１２】
ｎが奇数の場合、１行目吐出孔と２行目吐出孔は、第１方向に隣り合って配置されており、１行目吐出孔と２行目吐出孔との吐出孔８の対は、（ｎ−１）／２組目吐出孔と、（ｎ＋１）／２組目吐出孔との間に隣り合って配置されており、４×ｎ−１行目吐出孔と４×ｎ行目吐出孔は、第１方向に隣り合って配置されており、４×ｎ−１行目吐出孔と４×ｎ行目吐出孔との吐出孔８の対は、（ｎ−１）／２組目吐出孔と、（ｎ＋１）／２組目吐出孔との間に隣り合って配置されている。
【０１１３】
図９では、例えば、１行目吐出孔と２行目吐出孔は、吐出孔（１、２１）と吐出孔（２、２２）として、第１方向に隣り合って配置されており、１行目吐出孔と２行目吐出孔との吐出孔８の対は、（ｎ−１）／２＝（７−１）／２＝３組目吐出孔である吐出孔（１３、２０）と、（ｎ＋１）／２＝（７＋１）／２＝４組目吐出孔である吐出孔（１６、２３）との間に隣り合って配置されており、４×ｎ−１＝４×７−１＝２７行目吐出孔と４×ｎ＝４×７＝２８行目吐出孔は、吐出孔（２７、７）と吐出孔（２８、８）として、第１方向に隣り合って配置されており、２７行目吐出孔と２８行目吐出孔との吐出孔８の対は、３組目吐出孔である吐出孔（１４、６）と、４組目吐出孔である吐出孔（１５、９）との間に隣り合って配置されている。
【０１１４】
以上のように配置することで、図６および７と同様に、濃度むらを人に認識され難くするとともに、液体吐出ヘッド２の設置角度ずれの影響を受け難くすることができる。
【０１１５】
なお、第２方向の中央部に位置する吐出孔組Ｇ１〜Ｇ７とは、図６，８においては、中央に位置する吐出孔組Ｇ４と吐出孔組Ｇ４に隣接する吐出孔組Ｇ３、Ｇ５を含むものである。また、図７，９においては、第２方向の中央部に位置する吐出孔組Ｇ１〜Ｇ７とは、中央に位置する吐出孔組Ｇ３、Ｇ４を含むものである。
【符号の説明】
【０１１６】
１・・・カラーインクジェットプリンタ
２・・・液体吐出ヘッド
２ａ・・・ヘッド本体
４・・・（第１）流路部材
４ａ〜ｌ
４−１・・・加圧室面
４−２・・・吐出孔面
６・・・第２流路部材
６ａ・・・（第２流路部材の）貫通孔
８・・・吐出孔
９Ａ・・・吐出孔行
１０・・・加圧室
１０ａ・・・加圧室本体
１０ｂ・・・部分流路
１１Ａ・・・加圧室行
１２・・・第１個別流路
１４・・・第２個別流路
１４ａ・・・（第２個別流路の）第１部位
１４ｂ・・・（第２個別流路の）第２部位
２０・・・第１共通流路（共通供給流路）
２０ａ・・・第１共通流路本体
２０ｂ・・・（第１共通流路）開口
２２・・・第２共通流路（共通排出流路）
２２ａ・・・第２共通流路本体
２２ｂ・・・（第２共通流路の）開口
２４・・・第１統合流路
２４ａ・・・第１統合流路本体
２４ｂ・・・（第１統合流路の）開口
２６・・・第２統合流路
２６ａ・・・第２統合流路本体
２６ｂ・・・（第２統合流路の）開口
２８・・・桁上領域
４０・・・圧電アクチュエータ基板
４０ａ・・・圧電セラミック層
４０ｂ・・・圧電セラミック層（振動板）
４２・・・共通電極
４４・・・個別電極
４４ａ・・・個別電極本体
４４ｂ・・・引出電極
４６・・・接続電極
５０・・・変位素子（加圧部）
７０・・・ヘッド搭載フレーム
７２・・・ヘッド群
８０Ａ・・・給紙ローラ
８０Ｂ・・・回収ローラ
８２Ａ・・・ガイドローラ
８２Ｂ・・・搬送ローラ
８８・・・制御部
Ｐ・・・印刷用紙
【要約】
本開示の液体吐出ヘッド２は、複数の吐出孔８、複数の加圧室１０、および複数の共通流路Ｍ１〜Ｍ８を有する流路部材４と、複数の加圧部とを含んでいる。隣り合う吐出孔組Ｇ１〜Ｇ７は、１つの吐出孔組Ｇ１〜Ｇ７におけるｎ列に吐出孔Ａが位置するとき、共通流路Ｍ１〜Ｍ８を挟んで位置する隣の吐出孔組Ｇ１〜Ｇ７の吐出孔Ｂがｎ±１列に位置する部分を有する。第２方向Ｄ２の中央部に位置する吐出孔組Ｇ１〜Ｇ７における吐出孔Ｃがｎ列に位置しているのに対し、桁外吐出孔がｎ±１列に位置する。
【選択図】  図６【図１】
0006527298.tif 000002
【図２】
0006527298.tif 000003
【図３】
0006527298.tif 000004
【図４】
0006527298.tif 000005
【図５】
0006527298.tif 000006
【図６】
0006527298.tif 000007
【図７】
0006527298.tif 000008
【図８】
0006527298.tif 000009
【図９】
0006527298.tif 000010